(57)【特許請求の範囲】
【請求項１】
裏側から遊技盤を前面へ臨ませるための遊技窓孔を有する遊技盤枠に、遊技窓孔に嵌まるガラス枠と、ガラス枠を覆う飾り縁とをそれぞれ開閉可能に軸支し、飾り縁が遊技窓孔に軸支される基枠と、それを覆う装飾枠との組合せからなり、その飾り縁を取替え可能にしたパチンコ遊技機において、遊技盤枠の左側の縦枠に、ガラス枠を軸支する軸受と、飾り縁を取替え可能に軸支する支承片とをそれぞれ一体に形成し、飾り縁の基枠に、ガラス枠が遊技窓孔に嵌まる隙間に差し込まれる突条を一体に形成し、さらに、左側の縦枠には、基枠の基端面が摺動する湾曲面を形成したことを特徴とするパチンコ遊技機。
【発明の詳細な説明】
【０００１】
【産業上の利用分野】
この発明は、遊技盤に打球して行うパチンコ遊技機に関する。
【０００２】
【従来の技術】
従来、パチンコ遊技機は、図４に示すように、設置箇所に固定して据え付けられる外枠５０と、それに扉のように開閉可能に取り付けられる表枠５２とからなり、表枠５２は、打球装置等を装備する機構枠５２ａと、表に面する内枠５２ｂとの組合せからなるもので、機構枠５２ａは、一般的にプラスチックにより成形され、内枠５２ｂは、プラスチックまたはベニア板からなるものであった。
【０００３】
遊技盤は、機構枠５２ａに嵌め込まれ、また、内枠５２ｂには、ガラス６０を備えるために鈑金部材で組み立てられる窓枠５４が嵌め込まれ、窓枠５４には、同じく鈑金部材からなるガラス枠５６が開閉可能に軸支されていた。そして、窓枠５４が内枠５２ｂに嵌め込まれて、内枠５２ｂが表に面するので、その内枠５２ｂに装飾部材が施されていた。また、窓枠５４やガラス枠５６も装飾の役目を果たしていた。
【０００４】
【発明が解決しようとする課題】
内枠５２ｂにおける装飾は、プラスチックで成形された幾つかの装飾部材を周囲に配分してなされるものであり、内枠５２ｂにビス止めして取付けがなされていた。したがって、装飾部材を取り替えるとすると、そのビス止め孔が露出する不都合があった。また、内部に照明が内装されるために、その配線の通し孔６２が内枠５２ｂに開けられているから、その通し孔６２も露出しないように装飾部材を替えるということは極めて煩わしくデザイン的に難しいことであった。
【０００５】
つまり、内枠５２ｂと装飾部材とは、最初から不離一体関係にあり、集客を目的として装飾を新たにする以上、装飾部材のみを一方的に自由に且つ容易に変えることができなかった。
【０００６】
このようなことから、装飾を替えるためには、内枠５２ｂも替える必要があり、また、内枠５２ｂを替えると、表枠５２の構成として一体関係にある機構枠５２ａや、さらには窓枠５４やガラス枠５６をも替える必要があるというように、ほゞ全面的に、或いはパチンコ機全体を取り替える必要が生じるいう経済的な不都合があった。
【０００７】
この発明は、上記のような実情に鑑みて、飾り枠を取替えることができることにより、真新しく見えるように装飾を変え得るパチンコ遊技機を提供することを目的とした。
【０００８】
【課題を解決するための手段】
上記の目的を達成するために、この発明は、裏側から遊技盤を前面へ臨ませるための遊技窓孔を有する遊技盤枠に、遊技窓孔に嵌まるガラス枠と、ガラス枠を覆う飾り縁とをそれぞれ開閉可能に軸支し、飾り縁が遊技窓孔に軸支される基枠と、それを覆う装飾枠との組合せからなり、その飾り縁を取替え可能にしたパチンコ遊技機において、遊技盤枠の左側の縦枠に、ガラス枠を軸支する軸受と、飾り縁を取替え可能に軸支する支承片とをそれぞれ一体に形成し、飾り縁の基枠に、ガラス枠が遊技窓孔に嵌まる隙間に差し込まれる突条を一体に形成し、さらに、左側の縦枠には、基枠の基端面が摺動する湾曲面を形成したことを特徴とするパチンコ遊技機を提供するものである。
【０００９】
上記の構成によれば、外枠はもちろん、遊技盤枠やガラス枠等をそのままにして、飾り縁のみを取り替えることにより、遊技機の装飾を一新させることができる。なお、遊技盤枠および飾り縁をマグネシウム合金製とすると、組立て組外しが容易であるだけでなく、熱などによる変形がほとんどなく、また、電導体のため、静電気等による蓄電がないため、埃などが付着しにくい利点がある。
【００１０】
仮に、上記飾り縁を合成樹脂製とした場合には、例えばパチンコ台等は、熱を持つため低温でも樹脂等では時間がたつにつれ、反りができてしまう。また、内部応力が残っていた場合には、時間がたつにつれて、変形がでてくる欠点がある。さらに、合成樹脂製では、静電気による埃の付着により、製品の汚れが目立つようになってくるという欠点もある。
【００１１】
【発明の効果】
以上説明したように、この発明によれば、装飾を変えるために、パチンコ遊技機を全部または大部分において取り替える必要がなくなり、単に飾り縁を取り替えるだけで、遊技機を全部取り替えたと同様に装飾が一新し、しかも、装飾を自由に且つ容易に備えることができるという優れた効果がある。
【００１３】
さらに、遊技盤枠および飾り縁をマグネシウム合金製とすると、熱などによる変形がほとんどなく、また、電導体のため、静電気等による蓄電がないため、埃などが付着しにくい利点がある。
【００１４】
【実施例】
次に、この発明の実施例を図面に基づいて説明する。
【００１５】
図１ないし図３は、パチンコ遊技機において実施した一例を示しており、そのパチンコ遊技機においては、マグネシウム合金製の遊技盤枠１に、ステンレス板で加工されたガラス枠３と飾り縁４が開閉可能に軸支されたもので、遊技盤枠１が従来にない特異なものであるが、従来の機構枠と同様にその遊技盤枠１には遊技盤５が嵌め込まれる。
【００１６】
飾り縁４は、これも特異なもので、遊技盤枠１の支承片７，７により軸支される基枠８と、それを覆うように装飾枠９との組合せからなり、さらに、その間に、発光盤１０と、透光飾り１１とが組み込まれる。
【００１７】
遊技盤枠１は、遊技盤５を前面に臨ませる遊技窓孔６を有するもので、それぞれマグネシウム合金により射出成形された左右縦枠１２，１３と、上枠１４と、下枠としての腰部枠１５とで枠組みされる。また、腰部枠１５において、打球発射装置等の主な部品、例えば、発射モーター３０、打撃槌３２、発射レール３４等を備えている。
【００１８】
遊技窓孔６は、ガラス枠３が丁度嵌まる程度の大きさであるが、遊技窓孔６の左右両端の後縁には、左右縦枠１２，１３と一体に内向突条１７，１７が成形されている。この内向突条１７，１７には、裏側から取り付けられた遊技盤５の周縁が当接し、且つ、表側から嵌め込まれたガラス枠３が当接する。また、遊技窓孔６の周囲前面を全体的に覆うように、飾り縁４が被着される。
【００１９】
遊技盤枠１には、左側の縦枠１２にガラス枠３を軸支する軸受１９，１９と、飾り縁４を軸支する前記した支承片７，７とが設けられている。そして、ガラス枠３が遊技窓孔６に嵌まると、その間に隙間２２が生じ、その隙間２２に嵌まる突条２６が飾り縁４の基枠８に形成されている。これも、カードやピン等を差し入れるような不正遊技を防止する極めて有効な防犯対策の一つである。
【００２０】
さらに、不正遊技を防止する対策として、左側の縦枠１２には、基枠８の基端面が摺動する湾曲面２１が形成され、飾り縁４の開閉の程度如何に拘らず、その湾曲面２１との摺動により隙間が生じないようにしてある。なお、この湾曲面２１は、飾り縁４の開閉軸を中心とする円弧面として形成される。
【００２１】
飾り縁４のうち、基枠８については、表側に浅い凹部溝２３を有し、その凹溝２３に配線がなされるとともに、発光盤１０が納まり、さらに、発光盤１０の光が透過する透光飾り１１の基盤がその上から嵌まっている。そして、透光飾り１１には、その基盤に凸面状の透光部材２５が突設される。
【００２２】
また、飾り縁４のうち、装飾枠９には、透光飾り１１の透光部材２５が露出する飾り穴２４が開けられており、遊技状態に対応して、発光盤１０に有する多数の発光器２０，２０，・・が点滅し、それが透光部材２５を介して飾り穴２４からきらびやかに発色し、装飾効果を高めている。
【図面の簡単な説明】
【図１】  この発明のパチンコ遊技機における飾り縁装置を示す斜視図である。
【図２】  同分解斜視図である。
【図３】  そのうちの飾り縁の分解斜視図である。
【図４】  従来例を説明する分解斜視図である。
【符号の説明】
１  遊技盤枠
３  ガラス枠
４  飾り縁
６  遊技窓穴
７  支承片
８  基枠
９  装飾枠
１２  縦枠
１９  軸受
２１  湾曲面
２２  隙間
２６  突条
【図１】
0003707651.tif 000002
【図２】
0003707651.tif 000003
【図３】
0003707651.tif 000004
【図４】
0003707651.tif 000005